(57)【要約】      （修正有）【課題】ゴルフクラブシャフトの外観を改善するゴルフクラブシャフト及びゴルフクラブを提供する。【解決手段】ゴルフクラブシャフトは、シャフト本体１とカバー層とを含み、シャフト本体１が、相対するグリップ端１１と結合端１２とを有し、カバー層が、シャフト本体１の外表面を覆う下地層を有し、第一カラー塗料層が、下地層を覆い、第二カラー塗料層が、第一カラー塗料層の少なくとも１つの表面を覆い、第二カラー塗料層が、不均等な厚さを有している。【選択図】図１
0003232357.tif 000002
【実用新案登録請求の範囲】
【請求項１】
シャフト本体とカバー層とを含むゴルフクラブシャフトであって、
前記シャフト本体が、相対するグリップ端と結合端とを有し、
前記カバー層が、前記シャフト本体の外表面を覆う下地層を有し、
第一カラー塗料層が、前記下地層を覆い、
第二カラー塗料層が、前記第一カラー塗料層の少なくとも１つの表面を覆い、
前記第二カラー塗料層が、不均等な厚さを有している、ゴルフクラブシャフト。
【請求項２】
前記カバー層が、グラデーション部を有し、
前記第二カラー塗料層が、前記グラデーション部において不均等なな厚さを有していることを特徴とする、請求項１に記載のゴルフクラブシャフト。
【請求項３】
前記第二カラー塗料層が、前記グラデーション部において、前記グリップ端から前記結合端に向かって厚さが薄くなるようになり、あるいは、前記結合端から前記グリップ端に向かって厚さが薄くなるようになっていることを特徴とする請求項２に記載のゴルフクラブシャフト。
【請求項４】
前記グラデーション部の厚さが、５〜６０μｍであることを特徴とする請求項２に記載のゴルフクラブシャフト。
【請求項５】
前記グラデーション部の厚さが、１０〜５０μｍであることを特徴とする請求項４に記載のゴルフクラブシャフト。
【請求項６】
前記グリップ端における直径が、１４．６〜１６ｍｍであり、
前記結合端における直径が、８．５〜１０ｍｍであることを特徴とする請求項２に記載のゴルフクラブシャフト。
【請求項７】
前記第一カラー塗料層及び前記第二カラー塗料層を覆う保護層を有していることを特徴とする請求項１〜請求項６のいずれか１つに記載のゴルフクラブシャフト。
【請求項８】
前記保護層の厚さが、１０〜４５μｍであることを特徴とする請求項７に記載のゴルフクラブシャフト。
【請求項９】
請求項１〜請求項８のいずれか１つに記載のゴルフクラブシャフトと、前記シャフト本体の一端に結合されるゴルフクラブヘッドとを有することを特徴とするゴルフクラブ。
【考案の詳細な説明】
【技術分野】
【０００１】
本考案は、ゴルフクラブシャフト及びゴルフクラブに関し、特に、グラデーションを有しているゴルフクラブシャフト及びゴルフクラブに関するものである。
【背景技術】
【０００２】
ゴルフクラブヘッドは、材質や鍛造法の差異によって、様々な打球性能を提供し、ユーザーが様々な打球コースを繰り出すようにすることができるので、ゴルフクラブヘッドは、ユーザーの選択において重要なポイントの一つである。
そして、ユーザーが、高価なゴルフクラブヘッドを選択するとともに、ゴルフクラブヘッドに釣り合うためにゴルフクラブシャフトの外観について要求するようになり、ゴルフクラブ全体の質感を高めようとした。
しかしながら、各メーカーは、ゴルフクラブヘッドの性能開発に尽力する一方、ユーザーのゴルフクラブシャフトに対する要求を疎かにしてしまい、ゴルフクラブの外観が単調すぎる問題が発生した。
よって、従来のゴルフクラブシャフトの外観を改善する必要があった。
【先行技術文献】
【特許文献】
【０００３】
【特許文献１】台湾公告Ｍ２７４１６８号
【考案の概要】
【考案が解決しようとする課題】
【０００４】
本考案の目的は、ゴルフクラブ全体の外観を改善するゴルフクラブシャフト及びゴルフクラブを提供することである。
【０００５】
本明細書において方向を示す用語、例えば、「前」、「後」、「左」、「右」、「上（頂）」、「下（底）」、「内」、「外」、「側」などは、主に、添付図面上における方向を示すもので、本考案の各実施例に対する説明と理解を補助するためのものであり、本考案は、これらの方向に限定されるものではない。
【０００６】
本明細書において用いられる「一つ」、「一個」などの用語は、便宜上使われるものであり、且つ、本考案の範囲について通常の意味を与えるものであり、本考案では、一つ或いは少なくとも一つとして解釈すべきであり、また、別の数を指すと明言される場合を除いて、一つの概念に複数の場合を含むこともある。
【０００７】
本考案において、「結合」、「組合」或いは「組み立て」等の近似語は、主に連結した後、破壊しなくても分離することができるもの、或いは、連結した後分離することが不可能なもの等の様態を含み、当業者が連接しようとする部件の材質、または、組み立ての需要によって選択できるものである。
【０００８】
本考案のゴルフクラブシャフトは、シャフト本体とカバー層とを含み、前記シャフト本体が、相対するグリップ端と結合端とを有し、前記カバー層が、前記シャフト本体の外表面を覆う下地層を有し、第一カラー塗料層が、前記下地層を覆い、第二カラー塗料層が、前記第一カラー塗料層の少なくとも１つの表面を覆い、前記第二カラー塗料層が、不均等な厚さを有している。
【０００９】
本考案のゴルフクラブは、前記ゴルフクラブシャフトと前記シャフト本体の一端に結合されるゴルフクラブヘッドとを有している。
【００１０】
これにより、本考案のゴルフクラブシャフト及びゴルフクラブは、カバー層の第二カラー塗料層によって厚さを不均等にして、色の濃淡の変化を有するようになるので、ゴルフクラブの視覚的な変化を改善し、ゴルフクラブの質感を向上させることができる。
【００１１】
また、前記カバー層は、グラデーション部を有し、前記第二カラー塗料層は、前記グラデーション部において不均等な厚さを有している。
これにより、第二カラー塗料層全体にさらに多彩な発色効果を与えることができる。
【００１２】
また、前記第二カラー塗料層は、前記グラデーション部において、前記グリップ端から前記結合端に向かって厚さが薄くなるようになり、あるいは、前記結合端から前記グリップ端に向かって厚さが薄くなるようになっている。
これにより、ゴルフクラブシャフトは、グリップ端から結合端にかけて色のグラデーションを表すことができ、さらに、ゴルフクラブの視覚的な変化を改善することができる。
【００１３】
また、前記グラデーション部の厚さは、５〜６０μｍである。
これにより、ゴルフクラブシャフトの径変化量が大きすぎてスイング感触に影響を及ぼすことを避けることができる。
【００１４】
また、前記グラデーション部の厚さは、１０〜５０μｍである。
これにより、ゴルフクラブシャフトの径変化量が大きすぎてスイング感触に影響を及ぼすことを避けることができる。
【００１５】
また、前記グリップ端における直径は、１４．６〜１６ｍｍであり、前記結合端における直径は、８．５〜１０ｍｍである。
これにより、ゴルフクラブシャフトの重心をグリップ端に偏らせることができるので、ユーザーのスイング感触を向上させることができる。
【００１６】
さらに、ゴルフクラブシャフトは、前記第一カラー塗料層及び前記第二カラー塗料層を覆う保護層を有している。
これにより、カラー塗料層が、ユーザーの握りや摩擦で剥がれることを防ぐことができる。
【００１７】
また、前記保護層の厚さは、１０〜４５μｍである。
これにより、カラー塗料層が、ユーザーの握りや摩擦で剥がれることを防ぐことができる。
【図面の簡単な説明】
【００１８】
【図１】本考案に係る実施例の組立正面図。
【図２】本考案に係る実施例のグリップ端におけるＡ部分の拡大図。
【図３】本考案に係る実施例の結合端におけるＢ部分の拡大図。
【考案を実施するための形態】
【００１９】
本考案の実施例について、以下、図面を参照して説明する。
【００２０】
図１に示されるように、本考案に係るゴルフクラブシャフトの実施例は、シャフト本体１とシャフト本体１を覆うカバー層２とを含む。
【００２１】
シャフト本体１は、金属パイプにより成形、或いは、複数層の材料を巻いて加工することで成形することができる。
例えば、シャフト本体１は、合金鋼、カーボンファイバー、チタン合金などの材質であっても良く、これにより、シャフト本体１の軽量化及び強度を兼ね備えることができる。
シャフト本体１は、相対するグリップ端１１と結合端１２とを有することができる。
グリップ端１１は、ユーザーが握ってシャフト本体１を振るのに用いられることができ、グリップ端１１に、例えば、ラバーカバーで覆うことで、ユーザーのスイング感触を向上させることができる。
結合端１２は、ゴルフクラブヘッドＨを有することでゴルフクラブを形成することができ、これにより、ユーザーがシャフトを振ることによりゴルフクラブヘッドＨで打撃することができる。
ゴルフクラブヘッドＨは、従来のアイアンヘッド又はウッドヘッドであっても良く、かつ、ゴルフクラブヘッドＨは、生産、製造が便利となるように着脱自在に結合端１２に結合されても良く、本考案では限定されない。
さらに、グリップ端１１と結合端１２との間にカバー部１３を有することができる。
例えば、カバー部１３は、グリップ端１１から結合端１２までの間の少なくとも１つの外表面に位置することができ、シャフト本体１全体を覆うようにグリップ端１１から結合端１２まで延伸することが好ましく、本考案では限定されない。
【００２２】
図２、図３に示されるように、カバー層２は、シャフト本体１のカバー部１３に位置し、これにより、シャフト本体１に視覚的な変化を付与する。
カバー層２は、カバー部１３に塗布されることができ、例えば、手動でエアブラシを使い、又は、塗布機により自動的に原料粒子をカバー部１３に塗布することでカバー層２を形成させることができる。
詳しく述べると、カバー層２は、下地層２１を有することができ、下地層２１は、カバー部１３を覆うことで、カバー部１３に形成された窪みや切り口を埋めることができ、これにより、カバー部１３が滑らかな面となり、さらに、下地層２１により、カバー部１３が優れたカバー力を有することができる。
すなわち、カバー部１３に塗料が付着し易くなる。
例えば、下地層２１を硬化させてから下地層２１を研磨して滑らかな面とすることができる。
下地層２１は、白または灰色など覆われ易い淡色であることが好ましい。
カバー層２は、第一カラー塗料層２２を有することができ、第一カラー塗料層２２は、下地層２１を覆うことで、カバー層２に視覚的な変化を付与し、カバー部１３に着色する。
第一カラー塗料層２２は、同様に、手動でエアブラシを使い、又は、塗布機により自動的に原料粒子を下地層２１に塗布することで形成させることができる。
第一カラー塗料層２２は、単色、様々な色の組み合わせ又は混色であっても良く、本考案では限定されない。
【００２３】
カバー層２は、第一カラー塗料層２２の少なくとも一部を覆う第二カラー塗料層２３を有することができる。
第二カラー塗料層２３は、同様に、手動でエアブラシを使い、又は、塗布機により自動的に原料粒子を第一カラー塗料層２２に塗布することで形成させることができる。
第二カラー塗料層２３は、同様に、単色、様々な色の組み合わせ又は混色であっても良い。
注意すべきことは、第二カラー塗料層２３の厚さは、不均等に形成されることができ、これにより、より優れた視覚的な変化を付与する。
例えば、複数回の塗布により、第二カラー塗料層２３に厚さが相対的に厚い部分を形成させることができ、これにより、濃い色となり、第二カラー塗料層２３において厚さが、相対的に薄い部分は淡色となるので、第二カラー塗料層２３に色の濃淡を付与することができる。
【００２４】
第二カラー塗料層２３は、グラデーション部２３１を有することができる。
第二カラー塗料層２３は、グラデーション部２３１にて不均等な厚さに形成され（図３に示す）、かつ、第二カラー塗料層２３においてグラデーション部２３１以外の部分を均等な厚さに維持することで、第二カラー塗料層２３全体にさらに多彩な発色効果を与えることができる。
詳しく述べると、グラデーション部２３１において、第二カラー塗料層２３の厚さが相対的に厚い部分が、第一カラー塗料層２２の色を完全に覆うことができ、これにより、シャフト本体１は、第二カラー塗料層２３の色を表すことができる。
一方、第二カラー塗料層２３の厚さが相対的に薄い部分は、色が浅いので、第一カラー塗料層２２の色が透けて見えるようになり、グラデーション部２３１によりシャフト本体１は、多彩なグラデーションを有することができる。
【００２５】
例えば、グラデーション部２３１が第一カラー塗料層２２の少なくとも一部を覆うことで、シャフト本体１は、色の濃淡を表すことができ、或いは、グラデーション部２３１は、第一カラー塗料層２２全体を覆うことで、シャフト本体１は、鮮明な色の変化を有することができる。
グラデーション部２３１は、グリップ端１１に近い箇所に厚さが相対的に厚い第二カラー塗料層２３を、結合端１２に近い箇所に厚さが相対的に薄い第二カラー塗料層２３を有することができ、これにより、第二カラー塗料層２３は、グリップ端１１から結合端１２に向かって厚さが薄くなるようにすることができる。
好ましくは、グリップ端１１から結合端１２に向かって厚さが次第に薄くなるようにすることで、ゴルフクラブシャフトのグラデーション部２３１が略テーパー状となり、或いは、結合端１２からグリップ１１端に向かって厚さが薄くなるようにしても良く、これにより、第二カラー塗料層２３は、グリップ端１１から結合端１２にかけて色のグラデーションを表すことができる。
【００２６】
本実施例において、第二カラー塗料層２３のグラデーション部２３１における厚さは、５〜６０μｍであっても良く、１０〜５０μｍであることが好ましい。
さらに、ゴルフクラブシャフトをカバー層２で覆った後、グリップ端１１における直径は、１４．６〜１６ｍｍであっても良く、結合端１２における直径は、８．５〜１０ｍｍであっても良い。
これにより、ゴルフクラブシャフトの重心をグリップ端１１に偏らせることができるので、ユーザーのスイング感触を向上させることができる。
グラデーション部２３１のカバー層２上での長さは、１０〜１２０ｃｍであっても良く、これにより、ゴルフクラブシャフトの径変化量が大きすぎてスイング感触に影響を及ぼすことを避けることができる。
また、本実施例において、カバー層２は、さらに、保護層２４を有することができる。
保護層２４は、第一カラー塗料層２２及び第二カラー塗料層２３を覆い、厚さが１０〜４５μｍであることにより、第一カラー塗料層２２及び第二カラー塗料層２３がユーザーの握りや摩擦で剥がれることを防ぐことができる。
保護層２４は、クリアコートなどで光透過性の材質となることにより、第一カラー塗料層２２及び第二カラー塗料層２３の視覚的効果を遮ることを防ぐことができる。
【００２７】
以上により、本考案のゴルフクラブシャフト及びゴルフクラブは、カバー層の第二カラー塗料層によって厚さを不均等にして、色の濃淡の変化を有するようになるので、ゴルフクラブの視覚的な変化を改善し、ゴルフクラブの質感を向上させることができる。
【００２８】
本考案は、その精神と必須の特徴事項から逸脱することなく他のやり方で実施することができる。
従って、本明細書に記載した実施形態は、例示的なものであり、本考案の範囲を限定するものではない。
【符号の説明】
【００２９】
１    ・・・シャフト本体
１１  ・・・グリップ端
１２  ・・・結合端
１３  ・・・カバー部
２    ・・・カバー層
２１  ・・・下地層
２２  ・・・第一カラー塗料層
２３  ・・・第二カラー塗料層
２３１・・・グラデーション部
２４  ・・・保護層
Ｈ  ・・・ゴルフクラブヘッド
【図１】
0003232357.tif 000003
【図２】
0003232357.tif 000004
【図３】
0003232357.tif 000005